(57)【要約】【課題】  複数ページで構成される印刷文書を製本印刷物と自動認識し、製本形式で印刷する事を目的とする。また、製本印刷物自動認識した文書を、１ページ毎保持し、通常のコピーと同じように加工印刷する事を目的とする。【解決手段】  印刷文書のスキャン情報から、印刷文書の製本跡を検出する製本跡検出手段と、印刷文書のスキャン情報と検出された製本跡から印刷文書のレイアウト構成を認識するレイアウト構成認識手段と、レイアウト構成認識手段で認識したレイアウトと、外部から入力された印刷指定とを合わせて、文書をページ毎に保存するページレイアウト自動保持手段を用い、ドキュメント検出を行い、所望の方法で印刷を実施する印刷装置。【選択図】        図２
2006245747.tif 000002
【特許請求の範囲】
【請求項１】
複数ページから成る印刷文書を入力し、印刷を行う印刷装置であって、
印刷文書のスキャン情報から印刷文書の製本跡を検出する製本跡検出手段と、
印刷文書のスキャン情報と検出された製本跡から印刷文書のレイアウト構成を認識するレイアウト構成認識手段と、
レイアウト構成認識手段で認識したレイアウトと、外部から入力された印刷指定とを合わせて、文書をページ毎に保存するページレイアウト自動保持手段を有する印刷装置。
【請求項２】
前記製本跡検出手段は、印刷文書のスキャン情報から印刷文書に存在する製本跡、即ち文書の中央に発生する折り目跡を自動判別し、印刷文書が製本物であるかどうかを検出することを特徴とする請求項１記載の印刷装置。
【請求項３】
前記レイアウト構成認識手段は、印刷文書のスキャン情報と検出された製本跡から、複数ページから成る印刷文書の製本物形態が、製本物なのかを判断し、入力された印刷文書の各枚内のページ構成がどのように構成されているかを検知することを特徴とする請求項１又は２記載の印刷装置。
【請求項４】
複数ページから成る印刷文書を入力するステップと、
印刷文書のスキャン情報から印刷文書の製本跡を検出する製本跡検出ステップと、
印刷文書のスキャン情報と検出された製本跡から印刷文書のレイアウト構成を認識するレイアウト構成認識ステップと、
認識したレイアウトと、外部から入力された印刷指定とを合わせて、文書をページ毎に保存するページレイアウト自動保持ステップと、を有する印刷処理方法。
【発明の詳細な説明】
【技術分野】
【０００１】
本発明は、複写機等の印刷装置の入力文書の特徴を自動認識し、各ページ毎に仕分けを行い、印刷を行うドキュメント検出方法および処理装置である印刷装置および印刷処理方法に関する。
【背景技術】
【０００２】
近年、複写機のデジタル化やＰＯＤ（プリントオンデマンド）の発展に伴って、個人出版や簡易印刷が簡単に行えるようになり、オフィス内でも製本された印刷物の取り扱いが増えている。
【０００３】
これらに対応するものとして、プリント処理とは非同期に仕分けソート処理を行うドキュメント仕分け装置がある（例えば、特許文献１参照）。
【０００４】
また、両面原稿を読み込んで、読み込んだ順番とは異なる最適な順番で読み出して出力する装置もある（例えば、特許文献２参照）。
【特許文献１】特開平１０−３０５９６０号公報
【特許文献２】特開平１１−２５２２８８号公報
【発明の開示】
【発明が解決しようとする課題】
【０００５】
しかしながら、製本された印刷物を通常の方法でコピーを取ると、ページがバラバラになってしまうため、後で並べ替える必要があった。又、見開きページ毎にコピーを取る場合、１枚１枚コピーを取る必要があり、ページの構成を編集する事は出来なかった。
【０００６】
本発明は、上記問題点を解決する為のものであり、複数ページで構成される印刷文書を製本印刷物と自動認識し、製本形式で印刷する事を目的とする。
【０００７】
また、製本印刷物を自動認識し、１ページ毎に通常のコピーと同じように印刷する事を目的とする。
【０００８】
また、製本印刷物を見開きページでコピーしたもの、又は、しようとする場合は、製本であることを自動認識し、製本印刷、もしくは、通常と同じように１ページ毎に印刷する事を目的とする。
【０００９】
すなはち、製本印刷されている印刷文書を印刷する場合、入力された文書を自動的に製本文書と認識する事で、同じように製本文書として印刷できたり、ページの並び替えを行って印刷する事が出来る印刷装置および印刷処理方法を提供することを目的とする。
【課題を解決するための手段】
【００１０】
上記目的を達成する本発明の出力装置は以下に示す構成を備える。
【００１１】
即ち、印刷文書のスキャン情報から印刷文書の製本跡を検出する製本跡検出手段と、印刷文書のスキャン情報と検出された製本跡から印刷文書のレイアウト構成を認識するレイアウト構成認識手段と、レイアウト構成認識手段で認識したレイアウトと、外部から入力された印刷指定とを合わせて、文書をページ毎に保存するページレイアウト自動保持手段を有する。
【発明の効果】
【００１２】
本発明によれば、製本印刷されている印刷文書を印刷する場合、入力された文書を自動的に製本文書と認識する事で、同じように製本文書として印刷できたり、ページの並び替えを行って印刷する事が出来るというメリットがある。
【発明を実施するための最良の形態】
【００１３】
以下本発明を実施するための最良の形態を、実施例により詳しく説明する。
【実施例１】
【００１４】
本発明のネットワークシステム全体の構成図を図１に示す。
【００１５】
１００１は本発明の装置で、スキャナとプリンタから構成され、スキャナから読み込んだ画像をローカルエリアネットワーク（１０１０）（以下ＬＡＮ）に流したり、ＬＡＮから受信した画像をプリンタによりプリントアウトできる。また、スキャナから読んだ画像を図示しないＦＡＸ送信手段により、ＰＳＴＮまたはＩＳＤＮ（１０３０）に送信したり、ＰＳＴＮまたはＩＳＤＮから受信した画像をプリンタによりプリントアウトできる。１００２は、データベースサーバで、本発明の装置（１００１）により読み込んだ２値画像及び多値画像をデータベースとして管理する。
【００１６】
１００３は、データベースサーバ（１００２）のデータベースクライアントで、データベース（１００２）に保存されている画像データを閲覧／検索等できる。１００４は、電子メールサーバで、本発明の装置（１００１）により読み取った画像を電子メールの添付として受け取ることができる。１００５は、電子メールのクライアントで、電子メールサーバ（１００４）の受け取ったメールを受信し閲覧したり、電子メールを送信したり、可能である。
【００１７】
１００６がＨＴＭＬ文書をＬＡＮに提供するＷＷＷサーバで、本発明の装置（１００１）によりＷＷＷサーバで提供されるＨＴＭＬ文書をプリントアウトできる。１００７は、ルータでＬＡＮ（１０１０）をインターネット／イントラネット（１０１２）と連結する。インターネット／イントラネットに、前述したデータベースサーバ（１００２）、ＷＷＷサーバ（１００６）、電子メールサーバ（１００４）、本発明の装置（１００１）と同様の装置が、それぞれ１０２０、１０２１、１０２２、１０２３として連結している。一方、本発明の装置（１００１）は、ＰＳＴＮまたはＩＳＤＮ（１０３０）を介して、ＦＡＸ装置（１０３１）と送受信可能になっている。
【００１８】
また、ＬＡＮ上にプリンタ（１０４０）も連結されており、本発明の装置（１００１）により読み取った画像をプリントアウト可能なように構成されている。
【００１９】
次に図２に本発明装置１００１内部のブロック図を示す。
【００２０】
Ｃｏｎｔｒｏｌｌｅｒ  Ｕｎｉｔ（１００）は、本体エンジン部３００に接続される画像入力デバイスであるＳｃａｎｎｅｒ（３０１）や画像出力デバイスであるＰｒｉｎｔｅｒ（３０２）や、出力された用紙をソートしたり、ステイプル、製本印刷を行うフィニィッシャー（３０３）と接続し、一方ではＬＡＮや公衆回線（ＷＡＮ）接続することで、画像情報やデバイス情報の入出力、ＰＤＬデータのイメージ展開を行う為のコントローラである。
【００２１】
ＣＰＵ（１０１）はシステム全体を制御するプロセッサである。さらに、システムバスブリッジ（１２０）に接続される。ＲＡＭ（１０９）はＣＰＵ（１０１）が動作するためのシステムワークメモリであり、画像データを一時記憶するための画像メモリでもある。図示していないＲＡＭコントローラにより制御される、本実施例では、ダイレクトＲＤＲＡＭを採用する例を示す。ＲＯＭ（１０２）はＣｏｎｔｒｏｌｌｅｒ  Ｕｎｉｔが動作するための、ブートコード、プログラムコード、フォントコードなどが格納されている。図示しないＲＯＭコントローラにより制御される。
【００２２】
ＰｒｉｎｔｅｒＩ／Ｆ（１０３）は、本体エンジン部（３００）の図示しないプリンタ部と接続され、印刷データのやり取り、を行う。ＳｃａｎｎｅｒＩ／Ｆ（１０４）は、本体エンジン部に接続されたスキャナとのデータのやり取りを行うブロックである。ＩＯバス１（１０７）は、内部ＩＯバスの一種であり、標準バスであるＵＳＢバスのコントローラ、ＵＳＢインターフェース）、汎用シリアルポート、インタラプトコントローラ、ＧＰＩＯインターフェースが接続される。ＩＯバス１には、バスアービタ（図示せず）が含まれる。
【００２３】
操作部Ｉ／Ｆ（１０８）は図示しない操作部とインターフェース部で、操作部に表示する画像データを操作部に対して出力する。また、操作部から本システム使用者が入力した情報を、ＣＰＵ（１０１）に伝える役割をする。ＰＣＩ（１０６）は標準的なＰＣＩバスである。ＨＤＤ（１０５）はハードディスクドライブで、システムソフトウェア、画像データを格納する。
【００２４】
ＮｅｔＷｏｒｋ（１１０）は、図示しないＭＡＣ回路、ＰＨＹ／ＰＭＤ回路を介しＬＡＮ（１０１０）に接続し、情報の入出力を行う。各ブロックは、システムバス（１２０）に接続され、それぞれのモジュール完でデータのやり取りを行うことが出来る。メモリカード（１１１）は、ＳＤメモリ等の汎用メモリが接続可能なブロックで、本実施例では、ＵＳＢインターフェースに接続されている。
【００２５】
暗号化ブロックは、ＰＣＩバスに接続されるブロックでデータの暗号化、複合化が行える。本発明では、メモリ（１０９）内部のデータを暗号化、複合化しメモリ（１０９）に書き戻すことが可能なブロックである。
【００２６】
次に、操作部１０８の構成を図８に示す。ＬＣＤ表示部１０３２は、ＬＣＤ上にタッチパネルシートが貼られており、システムの操作画面を表示するとともに、表示してあるキーが押されるとその位置情報をコントローラユニット３０に伝える。テンキー１０２８はコピー枚数、認証用のパスワードなどの数字入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００２７】
また、１０２３は管理コードを紙媒体に付加するか否かを選択する管理コードキーであり、出力する紙媒体に管理コードの情報を付加するときに押す。１０２４はコピーモードキーであり、複写を行うときに押す。１０２５はファクスキーであり、ファクスに関する設定を行うときに押す。１０２６はファイルキーであり、画像形成装置内の記憶媒体に保存されているファイルデータや、管理コードデータベース５０２に保存されている管理コードの情報をＬＣＤ表示部１０３２上、ネットワーク２００上のＰＣ２１２，２１３、もしくは紙媒体に出力したいときに押す。１０２７はプリンターキーであり、コンピュータ等の外部装置からのプリント出力に関する設定などを行うときに使用する。
【００２８】
以上のように構成された印刷装置において、本発明の実施例１を図３を用いて説明する。
【００２９】
製本された印刷文書を、製本形式の文書として印刷を行う場合、先ず製本された印刷文書の綴じ部分である、ステイプル等を外してスキャナ３０１に原稿をセットする（５０１）。
【００３０】
ここで、図５に、本印刷装置１００１のコピー用の用紙フィーダー台に載せられた印刷文書の状態を示す。製本された文書は、折り目が少なからずついている為、表紙が上向きになるように置かれる状態１２００と、表紙が下向きの状態１２０１がある。印刷文書が、この用紙フィーダー台の載せられた状態で、印刷装置本体に取り付けられた操作パネル１０８のスタートボタン１０３０を押すと、印刷装置は印刷文書のスキャンを始める（５０２）。
【００３１】
フィーダー台から、原稿台に送り込まれる文書１枚１枚は、図４に示すように、原稿台１１０２の上に置かれ、下から光１１０１があたりＣＣＤが反射された印刷文書の内容が電子データに変換される。製本物である印刷文書は、製本文書特有の折り目が必ずついている為、文書の内側１１０３をスキャンした結果は、内面スキャン結果１１０４のように用紙中央に黒い影が出来る。同様に、文書の表紙面１１０１をスキャンした結果は、表紙面スキャン結果１１０６のように用紙中央に図のような影が出来る。
【００３２】
スキャナ３０１で読み込まれた１ページ分のページスキャンデータは、順次、コントローラユニット１００のスキャナＩ／Ｆ１０４を通じてＲＡＭ１０９に格納される。
【００３３】
ＲＡＭ１０９に格納されたページスキャンデータは、ＣＰＵ１０１を用いてパターンマッチングの手法を用いた画像検証が行われ、ページ中央部に製本文書特有の影１１０４，１１０６が形成されているかどうかが判定される（５０３）。
【００３４】
それと同時に、影の状態から、ページスキャンデータは、ページの内面をスキャンした結果なのか、表紙面をスキャンした結果なのかが判定される。
【００３５】
前記、パターンマッチングを用いた画像検証の方法を図７に示す。
【００３６】
先ず、１つ目の例として、パターンマッチングを行う方法を１５０１に示す。
【００３７】
先ず、本印刷装置には、予めスキャン画像の雛型であるパターンデータがＲＯＭ１０２やハードディスク１０５等の記憶媒体に記憶されている。このデータは、様々な折り目情報から得た情報から構成されている。
【００３８】
印刷装置では、予め指定された大きさの領域を、ページ中央からＭ個切り出しが行われる。本実施例では、上段１５０３、中段１５０４、下段１５０５の３つのポイントを抽出する。それぞれの部分に対し、前記説明したＲＯＭ１０２やハードディスク１０５等の記憶媒体に記憶されているＮ個のパターン情報とのマッチングを行い、対象となるデータがあれば、これを製本された文書であることを認識する。
【００３９】
また、２つ目の例として、スキャンした１ページ分のデータの中央部分から、左右に広がる濃淡の変化を前記例１同様に、Ｍ個の測定ポイントで検出し、製本された文書であるかどうかを認識する。ここでは、上部１５１０、下部１５０１の２つのポイントに対して、Ｎ個のパターンマッチング情報とその濃淡の変化を確認する。
【００４０】
前記の方法で、印刷文書が製本文書であると判断されると、コントローラは１００は入力スキャン画像を製本文書として認識を行う（５０４）。
【００４１】
次に、印刷文書の入力文書裏面をスキャンし、５０３同様に、スキャナ３０１からコントローラユニットに入力されるページスキャンデータを、ＣＰＵ１０１を用いてパターンマッチングの手法を用いた画像検証が行われ、ページ中央部に製本文書特有の影１１０４，１１０６に形成されているかどうかを判定する（５０５）。
【００４２】
ここで、入力文書裏面５０３を検証した結果、５０３で判断した裏表が逆である場合、即ち５０３が表で、５０５が裏面、又はその逆に、５０３裏、５０５が表となった場合は、印刷文書は正しい製本モードとして認識される（５０７）。
【００４３】
次に、印刷文書の設定が、図５に示したようにフィーダー上にどのように置かれているか、前記５０７で確認した裏表情報を元に決定し、検知結果をＲＡＭ１０９に保持する。５０９
同様に、フィーダーに置かれている印刷原稿を全てスキャンを継続し、製本文書が常に読み込まれている事の確認を行う（５１０）。この作業をスキャン終了まで前記動作を続ける（５１１）。
【００４４】
コントローラ１００は、プリンタ３０２及び、フィニッシャー３０３に対して、製本順序に合わせて、前記ＲＡＭに格納したページ毎のスキャンデータを、必要に応じて順番・表裏を並び変えながらプリンタに随時送信し、印刷を実施する。
【００４５】
例えば、入力された印刷文章が、印刷印刷装置の製本印刷の順番通りの出力形式になっていれば、そのまま、プリンタに入力データを出力できるし、その逆であれば、表裏・入力順番を反転させて出力する。
【００４６】
最後に、フィニッシャー３０３にて製本印刷が可能となることを特徴とする印刷装置。
【実施例２】
【００４７】
前記実施例では、印刷文書が製本文書で、製本文書として印刷していたが、製本文書を別形式例えば、１ページに１ページ分のデータを印刷する場合に関して説明する。
【００４８】
ここで、製本された印刷文書をページ単位で分割するには、印刷装置は、印刷文書のページの左右判定、総ページ数の認識を行う必要がある。
【００４９】
図６に、ページ左右判定５０８の方法を示す。上記実施例１で説明したように、入力されたページスキャンデータに対して、ＣＰＵは、ＲＡＭに格納してあるプログラムの中からＯＣＲ機能を使用し、ページスキャンデータの文書の構成を検索する。文書構成が横文字の構成なのか、又は、縦文字の構成なのかをこの機能を用いて判定することで、左右の判定が可能になる。
【００５０】
例えば、横文字データ１３００の場合は、一般的に左側のページ１３０２を１ページ目、右側のページ１３０３を２ページ目と判断出来る。同様に、ＯＣＲ機能を用いて縦書きの文書１３０１を判断した場合は、右側のページを１ページ目、左側のページを２ページ目と判断する。
【００５１】
また、１ページごとを別々に保存する為、１３００で示すように、印刷文書を印刷枠を除いたページ情報、例えば、１ページ目１３１１と２ページ目１３１２として保存する。
【００５２】
また、図９に操作パネルを用いてページの左右の指定を実施する場合を示す。前記実施例では、左右のページ順を自動的に判断したが、表示パネルに左右の確認を実施してもよい。
【００５３】
図１１に左右の判定情報と、総ページ情報を元に、印刷した場合の実施例を示す。ここで、大文字は内側、小文字は表紙側であることを示す。最初に１８０１ページの向かって裏側から読み込み、ページの表紙側と判断して、左右情報を検出する。次に１８０１ページの向かって表側を読み込み、ページの内側と判断して、左右情報を検出保存する。同様に、１８０２ページの裏側・表側を読み込み、それぞれ保存する。
【００５４】
以上の情報から、ページ順を並び替えて、１８１０、１８１１の順番に正しいページ順で出力が可能である。
【００５５】
以上のように、左右判定情報と、前記実施例１で説明した、ＲＡＭに格納されたページの内側・表紙側を示す情報、総ページ数から、製本印刷された印刷文書を１ページ毎に印刷できる事を特徴とする。
【００５６】
全てのページの印刷文書を読み込み、総ページ数をカウントした後、その順番に合わせて、メモリ上からデータを吸い上げて、指定された方法で印刷することを特徴とする印刷装置。
【実施例３】
【００５７】
前記実施例１、２で説明したように、複数ページの印刷文書を入力して、製本モードと判断した場合で、ページスキャンデータ１１０４が内側のみの示す印刷文書が、連続していると判断した場合は、印刷装置は、入力された印刷文書が、見開きの状態でコピーされた印刷文書であると判断する。
【００５８】
ここで、印刷文書が片面の場合は、実施例１で説明したように、自動的に文書の左右を認識する。また、印刷文書が両面の場合は、図１０に示したように、操作パネル上で、入力文書のページ方向を選択して印刷する。
【００５９】
図１２に例を示す。１９０１ページから順番に１９０２、１９０３と印刷文書を入力し、前記で説明したように、ページの内側、表紙側を判断する。ここでは、内側の情報が連続する為、この印刷文章を製本の見開き文書と判断する。また、上記で説明した左右判定を用いて、左右を判定し、それぞれをＲＡＭに格納する。
【００６０】
全ての印刷文書の読み込みが終了した時点で、入力文書のページを並び替えて、１９００〜から順番に印刷することで、ページの並び替えを行える事を特徴とする印刷装置
【実施例４】
【００６１】
本実施例では、フィーダーを使用しないで、製本文書をそのまま見開き状態で印刷する場合に関して説明する。見開きページを印刷する場合は、スキャンされたスキャンページ情報は、内面スキャン結果１１０４と同じ状態となっている。この場合、コントローラＣＰＵは、製本文書そのものからの入力データと判断し、操作パネル上に、製本モード特有の表示モードに移行する。
【００６２】
図１０に本製本モード印刷時の操作パネルの状態を示す。操作パネルには、製本モードである旨と、左右の判定キーならびに、連続して、製本モード印刷を行うか、また、全ての製本入力が終了したかを示す終了キー、通常印刷モードで実施する為のキャンセルキーが準備されている。
【００６３】
左右判定を実施し、連続キーを押すと、上記実施例３で説明したのと同様に、印刷装置は、ページスキャン情報をページ情報に分割して、メモリに格納する。１枚１枚スタートキーを押しながらページ情報をＲＡＭに格納し、全てのページを入力した時点で、終了キーを押すと、印刷装置は、入力されたページ順を並び替えて印刷を実行する。
【００６４】
並び替え方法は、前記実施例３で説明した、が押される事になるが、１枚目をスキャンした時点で、製本モードと判断すると、操作パネル上に製本モードとなり、図１２と同じ方法となる。
【００６５】
以上のように、製本物のコピーを自動的に製本として実施できたり、ページレイアウトを変更して印刷できる事を特徴とする。
【図面の簡単な説明】
【００６６】
【図１】本システムの実使用環境を表す図
【図２】本発明のブロック図
【図３】本発明の実施例を示すフローチャート
【図４】本発明の印刷文書のスキャンを示すブロック図
【図５】本発明の印刷文書の状態を示すブロック図
【図６】本発明の印刷文書のスキャン結果を示すブロック図
【図７】本発明のスキャン文書の検索方法を示すブロック図
【図８】本発明の操作パネルのブロック図
【図９】本発明の操作パネルに表示される文書方向選択画面を示すブロック図
【図１０】本発明の操作パネルに表示される見開き文書方向選択画面を示すブロック図
【図１１】実施例２の左右の判定情報と、総ページ情報を元に、印刷した場合を示す図
【図１２】実施例３の操作パネル上で、入力文書のページ方向を選択して印刷した場合を示す図
【符号の説明】
【００６７】
１００  Ｃｏｎｔｒｏｌｌｅｒ  Ｕｎｉｔ
１０１  ＣＰＵ
１０２  ＲＯＭ
１０３  Ｐｒｉｎｔｅｒ  Ｉ／Ｆ
１０４  Ｓｃａｎｎｅｒ  Ｉ／Ｆ
１０５  ＨＤＤ
１０６  ＰＣＩ
１０７  ＩＯ
１０８  パネル
１０９  ＲＡＭ
１１０  ＮｅｔＷｏｒｋ
１１１  メモリカード
１１２  暗号化ブロック
３００  本体エンジン部
３０１  スキャナ
３０２  プリンタ
３０３  フィニッシャー
【図１】
2006245747.tif 000003
【図２】
2006245747.tif 000004
【図３】
2006245747.tif 000005
【図４】
2006245747.tif 000006
【図５】
2006245747.tif 000007
【図８】
2006245747.tif 000008
【図９】
2006245747.tif 000009
【図１０】
2006245747.tif 000010
【図１１】
2006245747.tif 000011
【図１２】
2006245747.tif 000012
【図６】
2006245747.tif 000013
【図７】
2006245747.tif 000014